(57)【要約】【課題】磁気テープをテープカートリッジから引き出すためのリーダブロックが、テープを保持していない状態でも、リーダブロックの動きを安定させ、動作を確実に行う磁気記録／再生装置におけるスレッディング機構を提供する。【解決手段】磁気テープを装置内のリールにスレッディングする機構において、リーダピンをテープカートリッジから引き出すためのリーダブロックを、可動アームのアームシャフトに回転自在に取り付け、リーダブロックは、テープカートリッジの装填時に、ガイドに沿って動く。また、リーダブロック１０は、リーダブロックホルダ１１を有し、テープカートリッジの装填時に、リーダピンを保持していない時は、リーダブロックホルダ１１によりアームシャフトに対して拘束され、リーダピンを掴む動作以降は、リーダブロックホルダ１１の移動によりアームシャフトから開放され回転自由となる。【選択図】      図２
2004171701.tif 000002
【特許請求の範囲】
【請求項１】
磁気テープの一端に取り付けられたリーダピンをテープカートリッジから取り出して、前記磁気テープを所定の誘導経路に移動し、前記磁気テープを装置内のリールにスレッディングする磁気記録／再生装置におけるスレッディング機構において、
前記リーダピンを前記テープカートリッジから引き出すためのリーダブロックを、可動アームのアームシャフトに回転自在に取り付け、前記リーダブロックは、前記テープカートリッジの装填時に、ガイドに沿って動くことを特徴とする磁気記録／再生装置におけるスレッディング機構。
【請求項２】
前記リーダブロックは、ガイドポストを有し、前記テープカートリッジの装填時に、前記ガイドポストがガイドに沿って動くことを特徴とする請求項１に記載の磁気記録／再生装置におけるスレッディング機構。
【請求項３】
磁気テープの一端に取り付けられたリーダピンをテープカートリッジから取り出して、前記磁気テープを所定の誘導経路に移動し、前記磁気テープを装置内のリールにスレッディングする磁気記録／再生装置におけるスレッディング機構において、
前記リーダピンを前記テープカートリッジから引き出すためのリーダブロックを、可動アームのアームシャフトに回転自在に取り付け、前記リーダブロックは、リーダブロックホルダを有し、前記テープカートリッジの装填時に、前記リーダピンを保持していない時は、前記リーダブロックホルダにより前記アームシャフトに対して拘束され、前記リーダピンを掴む動作以降は、前記リーダブロックホルダの移動により前記アームシャフトから開放され回転自由となることを特徴とする磁気記録／再生装置におけるスレッディング機構。
【請求項４】
前記リーダブロックは、リーダブロックバネにより一方向に付勢された前記リーダブロックホルダにより前記アームシャフトに対して拘束され、前記リーダブロックホルダが前記リーダブロックバネの付勢に抗して移動されることで開放され回転自由となることを特徴とする請求項３に記載の磁気記録／再生装置におけるスレッディング機構。
【請求項５】
前記リーダブロックは、前記リーダブロックホルダが、ロテータに接触して移動することにより、前記アームシャフトから開放され、前記ロテータにより回転されて前記リーダピンを掴むことを特徴とする請求項３又は４に記載の磁気記録／再生装置におけるスレッディング機構。
【請求項６】
前記リーダブロックは、その鈎部で前記リーダピンを掴むことを特徴とする請求項３〜５のいずれかに記載の磁気記録／再生装置におけるスレッディング機構。
【請求項７】
前記リーダブロックが、前記リーダピンを掴んだ後は、前記リーダピンは、前記リーダブロックホルダにより押さえられることを特徴とする請求項３〜６のいずれかに記載の磁気記録／再生装置におけるスレッディング機構。
【発明の詳細な説明】
【０００１】
【発明の属する技術分野】
本発明は、磁気記録テープの一端に取り付けられたリーダピンをテープカートリッジから取り出して、前記リーダピンを所定の誘導経路に移動し、前記磁気記録テープを装置内のリールにスレッディングする磁気記録／再生装置におけるスレッディング機構に関する。
【０００２】
【従来の技術】
従来のスレッディング機構において、テープカートリッジを装填して磁気テープをテープカートリッジから引き出す際、スレッダドライブによって、磁気テープの一端に取り付けられたリーダピンをリーダブロックで保持し、誘導経路を介して、リールに誘導している。
【０００３】
円滑なスレッディング動作を行うために、リーダブロックはアームシャフトに対して回転自由でなければならない。テープを引き出している状態であれば、テープによってテープカートリッジ側にリーダブロックが引っ張られ動作は安定するが、スレッディング動作中にテープがリーダブロックから外れてしまうと、リーダブロックは回転してしまって、テープカートリッジ内に挿入することは不可能となり、装置として機能しなくなる。
【０００４】
また、リーダブロックは、テープを巻き取るためのリール内で、リールと一緒に回転しなければならないため、アームシャフトとリーダブロックの間には隙間がなければならない。そのためガイドを設けただけでは、リーダブロックの動作が不安定でカートリッジに挿入することが困難である。
【０００５】
図６は、磁気記録／再生装置の磁気テープ装置におけるテープカートリッジを示す平面図（ａ）及び正面図（ｂ）である。
【０００６】
テープカートリッジ５０には磁気記録を書き込むテープ５０ｂが収納され、テープ５０ｂの先端にはテープカートリッジ５０から引き出すためのリーダピン５０ａが備えられている。
【０００７】
図７〜９は、下記特許文献１に記載された従来の技術を示す図であり、図７は、磁気記録／再生装置のスレッディング機構の平面図であり、図８は、スレッディング機構のアーム１３１とリーダブロック１３３の部分を示す図である。
【０００８】
ローダドライブギア１１１が矢印Ｅ方向に回転し、同ギア１１１と連結しているスレッダドライブギア１１２が矢印Ｆ方向に回転し、アーム１３１に付いているローラ１２３がスレッダドライブギア１１２に設けられているカム溝１２４を通り、カム溝端部１２５に到達したとき、アーム１３１とその先端のリーダブロック１３３は、ローラ１２６がプレート１３４に設けられているガイド溝１２７に沿って移動することによって動く。
【０００９】
リーダブロック１３３は、アームシャフト１３１ａに対して回転自由となっており、この状態ではアームシャフト１３１ａでリーダブロック１３３を動かすと、リーダブロック１３３の方向は安定しない。
【００１０】
磁気テープのリーダピン５０ａは、リーダブロック１３３の上下両側に設けられた鈎部に係合して把持される。しかし、このような単なる鈎部による係合では、リーダピン５０ａの保持が不確実なため、リーダピン５０ａを保持する力を高めた構造も考えられる。
【００１１】
図９は、このようなスレッディング機構のリーダブロックの構造を示す。
【００１２】
リーダブロック８０にバネ８１が取り付けられており、リーダピン５０ａが鈎部８０ａに入ると、バネ８１によってリーダピン５０ａがリーダブロック８０に押しつけられ、保持力を高めることができる。
【００１３】
【特許文献１】
特開２００１−１３５００３号公報
【００１４】
【発明が解決しようとする課題】
しかしながら、前記の構造のスレッディング機構では、次のような問題点がある。
【００１５】
第一に、動作中にテープが外れると、装置としての機能が失われる。その理由は、リーダブロックが自由な状態になり、リーダブロックの方向が不安定となり、アームを動かしただけではリーダブロックをカートリッジ内に戻すことが不可能となるからである。
【００１６】
第二に、図８に示すようにリーダブロックの形状が複雑になり、部品の原価が増加する。その理由は、カートリッジをベースに装填するとき、リーダブロックがカートリッジに干渉しないように、アームシャフト部に加えてさらに回転部を追加しなければならなくなるからである。
【００１７】
第三に、リーダピンがリーダブロックに対して保持が不確実なため、リーダブロックから外れる可能性が大きい。その理由は、リーダブロックの鈎部だけでリーダピンを支えているためである。また、リーダブロックにバネを取り付けた構造を採用したとしても、リーダピンの着脱を繰り返すと、リーダブロックの鈎部が破損することがある。その理由は、リーダピンを着脱するたびにリーダピンとリーダブロックが擦れ合うからであり、リーダピンの形状から鈎部は厚みを薄くしなければならないからである。また、その結果、リーダピンの着脱を繰り返すと磁気テープにデータを記録することができなくなることがある。その理由は、着脱時の摩耗によりリーダブロックが削れて塵が発生し、塵がテープとヘッドの間に入ると、ヘッドとテープに隙間ができて記録することができなくなるからである。
【００１８】
そこで、本発明の目的は、以上の問題点を解決することであり、磁気テープをテープカートリッジから引き出すためのリーダブロックを、テープを巻き取るリールからテープカートリッジまで動かす機構において、リーダブロックがテープを保持していない状態でも、リーダブロックの動きを安定させ、動作を確実に行うことができ、また、リーダピンを安定して保持し、リーダブロックの摩耗を防ぐことができる磁気記録／再生装置におけるスレッディング機構を提供することである。
【００１９】
【課題を解決するための手段】
上述の課題を解決するため、本発明は、磁気テープの一端に取り付けられたリーダピンをテープカートリッジから取り出して、前記磁気テープを所定の誘導経路に移動し、前記磁気テープを装置内のリールにスレッディングする磁気記録／再生装置におけるスレッディング機構において、前記リーダピンを前記テープカートリッジから引き出すためのリーダブロックを、可動アームのアームシャフトに回転自在に取り付け、前記リーダブロックは、前記テープカートリッジの装填時に、ガイドに沿って動く。
【００２０】
また、磁気テープの一端に取り付けられたリーダピンをテープカートリッジから取り出して、前記磁気テープを所定の誘導経路に移動し、前記磁気テープを装置内のリールにスレッディングする磁気記録／再生装置におけるスレッディング機構において、前記リーダピンを前記テープカートリッジから引き出すためのリーダブロックを、可動アームのアームシャフトに回転自在に取り付け、前記リーダブロックは、リーダブロックホルダを有し、前記テープカートリッジの装填時に、前記リーダピンを保持していない時は、前記リーダブロックホルダにより前記アームシャフトに対して拘束され、前記リーダピンを掴む動作以降は、前記リーダブロックホルダの移動により前記アームシャフトから開放され回転自由となる。
【００２１】
さらに、前記リーダブロックが、前記リーダピンを掴んだ後は、前記リーダピンは、前記リーダブロックホルダにより押さえられる。
【００２２】
【発明の実施の形態】
次に、本発明の実施の形態について図面を参照して説明する。
【００２３】
〔構造〕
図１は、本発明の磁気記録／再生装置を示す平面図（ａ）及び正面図（ｂ）である。
【００２４】
磁気記録／再生装置の磁気テープ装置におけるテープカートリッジ５０は、［従来の技術］に記載した図６に示したものと同じである。
【００２５】
磁気記録／再生装置の磁気テープ装置は、テープカートリッジ５０を装填するベース１に、磁気テープの情報を読み書きするヘッド２、テープ５０ｂを巻き取るためのリール３、テープ５０ｂをガイドするためのテープガイド４、テープ５０ｂをテープカートリッジ５０から引き出すための可動アーム５を有す。可動アーム５には可動アーム５をガイドするためのアームボス５ａとアームシャフト５ｂが取り付けられ、アームシャフト５ｂにはリーダブロック１０が回転自在に取り付けられている。
【００２６】
図２は、リーダブロックとリーダブロックホルダの構造を示す図である。
【００２７】
リーダブロック１０は、リーダブロックホルダ１１を有し、リーダブロック１０とリーダブロックホルダ１１の間に介在し、リーダブロックホルダ１１に矢印Ｄ方向に力を加えて付勢するリーダブロックバネ１２を有している。このリーダブロックバネ１２は、コイル状のものを図示したが、板状のものに置き換えることもできる。リーダブロックホルダ１１は矢印Ｃ、Ｄ方向に動くことができる。リーダブロック１０には、リーダピン５０ａを掴むための鈎部１０ａが上下両側に備わっており、リーダブロック１０の上側にはガイドポスト１０ｂが備えられている。リーダブロックホルダ１１は、リーダブロックホルダ１１を動かすためのホルダポスト１１ａとアームシャフト５ｂを掴むためのシャフトホルダ１１ｂを有している。
【００２８】
図１を参照すると、ベース１には、ガイドポスト１０ｂをガイドするためのガイド３０〜３３を有し、テープカートリッジ５０側にはリーダブロック１０を回転させるためのロテータ２０が備わっている。
【００２９】
図３は、ロテータを示す図である。
【００３０】
ロテータ２０には、リーダブロック１０がロテータ２０に挿入されたときに、ホルダポスト１１ａに接触するストッパ２０ａと、ガイドポスト１０ｂに接触しリーダブロック１０を回転させるためのロテータガイド２０ｂが備わっている。
【００３１】
〔動作〕
図４は、リーダブロックホルダの動作を示す図であり、（ａ）、（ｂ）、（ｃ）は動作順序を示している。
【００３２】
図５は、リーダブロックとロテータとの関係を示す図である。（ａ）、（ｂ）は動作順序を示している。
【００３３】
図１を参照すると、アーム５が矢印Ａ方向に動作すれば、アームボス５ａは不図示のガイドに沿って動き、ガイドポスト１０ｂはガイド３０〜３３に沿って動く。すなわち、テープを保持していない状態でアーム５によってリーダブロック１０を動かすと、リーダブロック１０は、ガイド３０〜３３に沿って動作する。このとき、リーダブロック１０にリーダピン５０ａが保持されていないとき、図４（ａ）のように、リーダブロックバネ１２の力により、アームシャフト５ｂはシャフトホルダ１１ｂとリーダブロック１０に挟まれて拘束され、リーダブロック１０の動作は安定する。
【００３４】
可動アーム５がさらに動くと、リーダブロック１０は、ロテータ２０に挿入され、図５（ａ）の状態となり、リーダピン５０ａを掴む動作態勢に入る。このとき、ホルダポスト１１ａはストッパ２０ａに接触して移動し、シャフトホルダ１１ｂとアームシャフト５ｂの間には隙間ができ、リーダブロック１０は、アームシャフト５ｂに対する拘束から開放され、図４（ｂ）の状態となる。この状態でロテータ２０が回転すると、リーダブロック１０は、ロテータガイド２０ｂによって回転し、図５（ｂ）の状態となり、鈎部１０ａはリーダピン５０ａを掴む。
【００３５】
さらに、アーム５が矢印Ｂ方向に動くと、リーダブロック１０は、ロテータ２０から離れ、同時にテープ５０ｂは、テープカートリッジ５０から引き出される。このとき、リーダブロック１０は、図４（ｂ）の状態から、リーダブロックホルダ１０は右に戻ろうとするが、その先端がリーダピン５０ａに当たり、図４（ｃ）の状態となる。シャフトホルダ１１ｂとアームシャフト５ｂの間には依然として隙間があり、リーダブロック１０は、回転自由となっている。テープ５０ｂには、撓まないように張力が働いており、リーダブロック１０は、この張力によってテープカートリッジ５０側に引っ張られ、安定した動作を行う。このとき、リーダピン５０ａは、リーダブロックホルダ１１の先端によって押さえられている。このように、リーダピン５０ａは、鈎部１０ａとリーダブロックホルダ１１により確実に保持されており、リーダピン５０ａがリーダブロック１０に着脱するときに、擦れ合うことがなく、リーダブロック１０が摩耗することがない。
【００３６】
リーダピン５０ａをテープカートリッジ５０内に収容するときには、リーダブロック１０はロテータ２０に挿入され、再びホルダポスト１１ａとストッパ２０ａは接触し、図５（ｂ）の状態となり、リーダブロック１０は図４（ｂ）の状態となる。このときロテータ２０が回転すると、鈎部１０ａからリーダピン５０ａは外れ、図５（ａ）の状態となる。
【００３７】
【発明の効果】
本発明は、次のような効果がある。
【００３８】
第一の効果は、ガイドを設けることによってテープの張力が働かない状態でもリーダブロックをカートリッジ内に挿入することができることである。これにより、動作中にテープがリーダブロックが外れることになっても装置を回復させることが可能となり、信頼性が向上する。
【００３９】
第二の効果は、カートリッジをベースに装填するときにリーダブロックをカートリッジの近傍から待避させることができるため、確実にリーダブロックとカートリッジが干渉しないようにすることができることである。これにより装置としての信頼性が向上する。
【００４０】
第三の効果は、テープを引き出していない場合のアーム動作中にリーダブロックをアームシャフトに拘束することによって、リーダブロックの動きは安定することである。これにより、リーダブロックは確実にロテータに挿入され、信頼性は向上する。
【００４１】
第四の効果は、リーダブロックでリーダピンを確実に掴むことができることである。これにより、テープを引き出している最中にテープが緩んでもリーダピンを保持し続けることができ、装置としての信頼性が向上する。
【００４２】
第五の効果は、リーダピンをリーダブロックに着脱するときに、リーダピンとリーダブロックに隙間ができることである。これにより、摩耗による部品の劣化や発塵を防ぎ、かつ、リーダピンを保持しやすくなり、信頼性が向上する。
【００４３】
第六の効果は、リーダピンを掴む動作とアームシャフトを掴む動作を同じ部品で行うことである。これによって部品点数を削減することができ、原価を低減することができる。
【図面の簡単な説明】
【図１】本発明における磁気記録／再生装置のスレッディング機構の平面図（ａ）及び正面図（ｂ）である。
【図２】同じくリーダブロックとリーダブロックホルダの構造を示す図である。
【図３】同じくロテータを示す図である。
【図４】同じくリーダブロックホルダの動作を示す図である。
【図５】同じくリーダブロックとロテータとの関係を示す図である。
【図６】テープカートリッジを示す平面図（ａ）及び正面図（ｂ）である。
【図７】従来の技術における磁気記録／再生装置のスレッディング機構を示す平面図である。
【図８】同じくスレッディング機構のアームとリーダブロックの部分を示す図である。
【図９】同じくスレッディング機構のリーダブロックの構造を示す図である。
【符号の説明】
１  ベース
２  ヘッド
３  リール
５  可動アーム
５ａ  アームボス
５ｂ  アームシャフト
１０  リーダブロック
１０ａ  鈎部
１０ｂ  ガイドポスト
１１  リーダブロックホルダ
１１ａ  ホルダポスト
１２  リーダブロックバネ
２０  ロテータ
３０〜３３  ガイド
５０  テープカートリッジ
５０ｂ  テープ
５０ａ  リーダピン
【図１】
2004171701.tif 000003
【図２】
2004171701.tif 000004
【図３】
2004171701.tif 000005
【図４】
2004171701.tif 000006
【図５】
2004171701.tif 000007
【図６】
2004171701.tif 000008
【図７】
2004171701.tif 000009
【図８】
2004171701.tif 000010
【図９】
2004171701.tif 000011